(57)【特許請求の範囲】
【請求項１】
蝶番本体４の一方の扉羽根１を取付用のブラケット５に左右移動可能に固定した扉用蝶番において、
前記一方の扉羽根１は開口窓１１を有し、
前記取付用のブラケット５は横板２０と縦板２１を有し、
前記扉羽根１の開口窓１１の左右中間にブラケット５の縦板２１が位置し、この開口窓１１の左右一方側部分と縦板２１との間に工具挿入用の第１の空間部３２を形成し、前記開口窓１１の左右他方側部分と縦板２１との間に工具挿入用の第２の空間部３３を形成し、
この第１の空間部３２は、工具を挿入して回転又は移動することでブラケット５に対して扉羽根１が左右一方に移動する形状で、
第２の空間部３３は、工具を挿入して回転又は移動することでブラケット５に対して扉羽根１が左右他方に移動する形状である扉用蝶番。
【請求項２】
蝶番本体４の一方の扉羽根１を取付用のブラケット５に左右移動可能に固定した扉用蝶番において、
前記一方の扉羽根１は、左右方向に離隔した第１開口窓１１−１、第２開口窓１１−２又は１つの開口窓１１を有し、
前記取付用のブラケット５は、１つの下部開口窓２５又は左右方向に離隔した第１下部開口窓２５−１、第２下部開口窓２５−２を有し
前記第２開口窓１１−２と下部開口窓２５の左右他側部又は前記開口窓１１の左右一側部と第１下部開口窓２５−１が重なり合って工具挿入用の第１の空間部３２を形成し、
前記第１開口窓１１−１と下部開口窓２５の左右一側部又は前記開口窓１１の左右他側部と第２下部開口窓２５−２が重なり合って工具挿入用の第２の空間部３３を形成し、
この第１の空間部３２は、工具を挿入して回転又は移動することでブラケット５に対して扉羽根１が左右一方に移動する形状で、
前記第２の空間部３３は、工具を挿入して回転又は移動することでブラケット５に対して扉羽根１が左右他方に移動する形状である扉用蝶番。
【発明の詳細な説明】
【０００１】
【発明の属する技術分野】
本発明は、扉を取付開口枠に開閉自在に取付ける扉用蝶番に関する。
【０００２】
【従来の技術】
特開平９−３１７３００号公報に示すように、一対の扉羽根を揺動自在に連結した蝶番本体と、一方の扉羽根が固定される固定用のブラケットを備え、扉羽根に形成した左右方向の長孔から固定ねじをブラケットの固定ねじ孔にねじ込んで扉羽根をブラケットに固定する扉用蝶番が知られている。
【０００３】
この扉用蝶番であれば、固定ねじを弛めることでブラケットを左右方向に移動し、再び固定ねじを締付けることで扉羽根のブラケット固定位置を左右に調整できるから、扉を建付け調整できる。
【０００４】
【発明が解決しようとする課題】
前述の扉用蝶番を用いて扉を建付け調整するには他方の扉羽根を取付開口枠に固定すると共に、ブラケットを扉に固定し、一方の扉羽根をブラケットに仮固定し、この状態で扉を支持しながら一方の扉羽根をブラケットに対して左右に移動するので、その操作がやりづらい。例えば１人の作業者で扉を取付ける場合には一方の手で扉を支持し、他方の手で一方の扉羽根を移動するので、その操作が大変やりづらい。このために、扉の建付け調整作業がやりづらい。
【０００５】
そこで本発明は、前述の課題を解決できるようにした扉用蝶番を提供することを目的とする。
【０００６】
【課題を解決するための手段】
第１の発明は、蝶番本体４の一方の扉羽根１を取付用のブラケット５に左右移動可能に固定した扉用蝶番において、
前記一方の扉羽根１は開口窓１１を有し、
前記取付用のブラケット５は横板２０と縦板２１を有し、
前記扉羽根１の開口窓１１の左右中間にブラケット５の縦板２１が位置し、この開口窓１１の左右一方側部分と縦板２１との間に工具挿入用の第１の空間部３２を形成し、前記開口窓１１の左右他方側部分と縦板２１との間に工具挿入用の第２の空間部３３を形成し、
この第１の空間部３２は、工具を挿入して回転又は移動することでブラケット５に対して扉羽根１が左右一方に移動する形状で、
第２の空間部３３は、工具を挿入して回転又は移動することでブラケット５に対して扉羽根１が左右他方に移動する形状である扉用蝶番である。
第２の発明は、蝶番本体４の一方の扉羽根１を取付用のブラケット５に左右移動可能に固定した扉用蝶番において、
前記一方の扉羽根１は、左右方向に離隔した第１開口窓１１−１、第２開口窓１１−２又は１つの開口窓１１を有し、
前記取付用のブラケット５は、１つの下部開口窓２５又は左右方向に離隔した第１下部開口窓２５−１、第２下部開口窓２５−２を有し
前記第２開口窓１１−２と下部開口窓２５の左右他側部又は前記開口窓１１の左右一側部と第１下部開口窓２５−１が重なり合って工具挿入用の第１の空間部３２を形成し、
前記第１開口窓１１−１と下部開口窓２５の左右一側部又は前記開口窓１１の左右他側部と第２下部開口窓２５−２が重なり合って工具挿入用の第２の空間部３３を形成し、
この第１の空間部３２は、工具を挿入して回転又は移動することでブラケット５に対して扉羽根１が左右一方に移動する形状で、
前記第２の空間部３３は、工具を挿入して回転又は移動することでブラケット５に対して扉羽根１が左右他方に移動する形状である扉用蝶番。
【０００７】
【作用】
第１・第２の発明によれば、工具を第１の空間部３２に挿入して回転又は移動することでブラケット５に対して扉羽根１が左右一方に移動し、工具を第２の空間部３３に挿入して回転又は移動することでブラケット５に対して扉羽根１が左右他方に移動する。
【０００８】
このようであるから、片手で工具を持って回転又は移動することで一方の扉羽根１をブラケット５に対して左右に移動でき、その操作がやり易く、扉の建付け調整を１人の作業者で容易に行なうことができる。
【０００９】
【発明の実施の形態】
図１と図２に示すように、一方の扉羽根１と他方の扉羽根２を軸３で揺動自在に連結して蝶番本体４としてある。この一方の扉羽根１を取付用のブラケット５に固定して扉用蝶番としてある。前記ブラケット５が扉６の吊元側端面６ａにビス７等で固着される。
【００１０】
前記一方の扉羽根１の上下寄りに左右方向に長い固定用長孔１０が形成され、上下中間の左右中間に開口窓１１が形成され、上下中間の左右一端寄りに左右方向に長い調整用長孔１２が形成してある。
【００１１】
前記ブラケット５は横板２０と縦板２１で断面Ｌ字形状で、その横板２０の上下寄りに固定ねじ孔２２が形成され、上下中間に調整用ねじ孔２３が形成されている。前記縦板２１には扉羽根挿通用の開口部２４が形成されている。
【００１２】
扉６の吊元側端面６ａにはブラケット取付用の凹部８が形成され、この凹部８は扉６の表裏面に開口していると共に、底部にねじ突出凹部９が形成されている。ブラケット５は凹部８に嵌め込まれてビス７等で固定される。
【００１３】
前記一方の扉羽根１は扉羽根挿通用の開口部２４内に左右移動自在に挿通され、この一方の扉羽根１は開口部２４と接する部分を支点として前後に揺動可能に支持される。固定用長孔１０から固定ねじ３０を固定ねじ孔２２にねじ込むと共に、調整用長孔１２から調整ねじ３１を調整ねじ孔２３にねじ込んで一方の扉羽根１をブラケット５に固定する。
【００１４】
前記一方の扉羽根１の開口窓１１の左右中間にブラケット５の縦板２１が位置し、この開口窓１１の左右一方側部分と縦板２１との間に矩形状の第１の空間部３２を形成し、開口部１１の左右他方側部分と縦板２１との間に矩形状の第２の空間部３３を形成する。
【００１５】
固定ねじ３０を弛めて第１の空間部３２にマイナスドライバー等の先端部が矩形状の工具を挿入して回転することで縦板２１と開口窓１１の左右一端開口縁に接することによって一方の扉羽根１はブラケット５に対して左右一方（矢印Ａ方向）に移動する。固定ねじ３０を弛めて第２の空間部３３に前述と同様の工具を挿入して回転することで縦板２１と開口窓１１の左右他端開口縁に接することによって一方の扉羽根１はブラケット５に対して左右他方（矢印Ｂ方向）に移動する。
【００１６】
このようであるから、マイナスドライバー等の工具を片手で持って回転することで一方の扉羽根１をブラケット５に対して左右に移動でき、その操作が容易であるから、扉の建付け調整作業が容易である。
なお、扉羽根１の開口窓１１に沿って縦板２１を基準とする目盛３４が符してあり、この目盛３４で扉羽根１のブラケット５に対する左右方向の位置を知ることができる。
【００１７】
また、調整ねじ３１を締付けると一方の扉羽根１は縦板２１の開口部２４との接触部を支点として図２に矢印Ｃで示すように扉６の吊元側端面６ａに接近する方向（前後一側方）に揺動し、調整ねじ３１を弛めると一方の扉羽根１は図２に矢印Ｄで示すように扉６の吊元側端面６ａと離れる方向（前後他側方）に揺動する。これによって扉羽根１のブラケット５への前後取付角度を変えることができる。
【００１８】
次に他の実施の形態を説明する。
図３に示すように、開口窓１１の縦板２１と対向した左右の開口縁１１ａにＶ字状の切欠凹部１３をそれぞれ形成する。このようにすれば、プラスドライバーを第１・第２の空間部３２，３３に挿入することで切欠凹部１３に嵌まり込むので、プラスドライバーを回転することで扉羽根１がブラケット５に対して左右に移動する。
【００１９】
図４に示すように、開口窓１１の縦板２１と対向した左右開口縁１１ａを縦板２１と平行でなく斜めとして開口窓１１を平行四辺形とする。このようにすればマイナスドライバーを第１・第２の空間部３２，３３に挿入して縦板２１に沿って移動することで扉羽根１がブラケット５に対して左右に移動する。
【００２０】
図５に示すように、開口窓１１の縦板２１と対向した左右開口縁１１ａをほぼＶ字形状として縦板２１と平行でなく２つの斜めの部分を有する形状とする。このようにすればマイナスドライバーを第１・第２空間部３２，３３に挿入して縦板２１に沿って移動することで扉羽根１がブラケット５に対して左右に移動する。
【００２１】
図６に示すように、縦板２１の端面に立上り片２１ａを形成し、扉羽根１を縦板２１の端面に接すると共に、立上り片２１ａを開口窓１１に挿入して第１・第２の空間部３２，３３を形成する。
【００２２】
図７に示すように、扉羽根１を縦板２１の端面に接して開口窓１１と縦板２１で第１・第２の空間部３２，３３を形成する。
この図６、図７に示す開口窓１１の形状は矩形状に限らず前述の図３、図４、図５に示す形状でも良い。
【００２３】
図８に示すように、縦板２１の一部分を切り倒して横板２０と連続させ、この切り倒した部分２１ｂと横板２０に亘って下部開口窓２５を形成し、扉羽根１には第１開口窓１１−１と第２開口窓１１−２を左右方向に離隔して形成する。そして、図９に示すように第１開口窓１１−１と下部開口窓２５の左右一側部が重ね合うようにして第２の空間部３３を形成し、第２開口部１１−２と下部開口窓２５の左右他側部が重ね合うようにして第１の空間部３２とする。
【００２４】
図１０に示すように、縦板２１の一部分を切り倒して横板２０と連続させ、この切り倒した部分２１ｂと横板２０に亘って第１・第２下部開口窓２５−１，２５−２を左右方向に間隔を置いて形成し、図１１に示すようにこの第１の下部開口窓２５−１と扉羽根１に形成した開口窓１１の左右一側部が重ね合うようにして第１の空間部３２を形成し、第２の下部開口窓２５−２と扉羽根１に形成した開口窓１１の左右他側部が重ね合うようにして第３の空間部３３を形成する。
【００２５】
以上の各実施の形態ではブラケット５の調整用長孔１２が左右一側で、縦板２１が左右他側としたが、その調整用長孔１２が左右他側で、縦板２１が左右一側としても良い。
例えば、図１２に示すようにブラケット５の縦板２１が左右一側で、調整用長孔１２が左右他側とし、扉羽根１の左右一側を縦板２１の開口部２４内に挿通する。この場合には調整用長孔１２に調整ねじ３１の頭部が挿通する大径部１２ａを形成する。
【００２６】
また、以上の各実施の形態では扉羽根１のブラケット５への前後取付角度を変えることができるようにしたが、扉羽根１のブラケット５への前後取付角度を一定としても良い。
【００２７】
【発明の効果】
請求項１、請求項２に係る発明によれば、工具を第１の空間部３２に挿入して回転又は移動することでブラケット５に対して扉羽根１が左右一方に移動し、工具を第２の空間部３３に挿入して回転又は移動することでブラケット５に対して扉羽根１が左右他方に移動する。
【００２８】
このようであるから、片手で工具を持って回転又は移動することで一方の扉羽根１をブラケット５に対して左右に移動でき、その操作がやり易く、扉の建付け調整を１人の作業者で容易に行なうことができる。
【図面の簡単な説明】
【図１】本発明の第１の実施の形態を示す扉用蝶番の正面図である。
【図２】図１のＥ−Ｅ断面図である。
【図３】本発明の第２の実施の形態を示す扉用蝶番の正面図である。
【図４】本発明の第３の実施の形態を示す扉用蝶番の正面図である。
【図５】本発明の第４の実施の形態を示す扉用蝶番の正面図である。
【図６】本発明の第５の実施の形態を示す第１・第２の空間部の斜視図である。
【図７】本発明の第６の実施の形態を示す第１・第２の空間部の斜視図である。
【図８】本発明の第７の実施の形態を示す第１・第２の空間部の斜視図である。
【図９】本発明の第７の実施の形態を示す第１・第２の空間部の平面図である。
【図１０】本発明の第８の実施の形態を示す第１・第２の空間部の斜視図である。
【図１１】本発明の第８の実施の形態を示す第１・第２の空間部の平面図である。
【図１２】本発明の第９の実施の形態を示す扉用蝶番の正面図である。
【符号の説明】
１…一方の扉羽根、２…他方の扉羽根、４…蝶番本体、５…ブラケット、６…扉、１０…固定用長孔、１１…開口窓、１２…調整用長孔、２０…横板、２１…縦板、２２…固定用ねじ孔、２３…調整用ねじ孔、２４…開口部、３０…固定ねじ、３１…調整ねじ、３２…第１の空間部、３３…第２の空間部。
【図１】
0003637556.tif 000002
【図２】
0003637556.tif 000003
【図３】
0003637556.tif 000004
【図４】
0003637556.tif 000005
【図５】
0003637556.tif 000006
【図６】
0003637556.tif 000007
【図７】
0003637556.tif 000008
【図８】
0003637556.tif 000009
【図９】
0003637556.tif 000010
【図１０】
0003637556.tif 000011
【図１１】
0003637556.tif 000012
【図１２】
0003637556.tif 000013